(57)【特許請求の範囲】
【請求項１】
流域に対して、ダムからの放流を行う際に警報を行う放流警報制御システムであって、
前記ダムから放流を行う際に、放流警報を行うための音声データを管理する制御監視装置と、
前記制御監視装置とは離れた場所に、前記制御監視装置と第１のネットワークを介して通信可能に設けられた遠隔制御局と、
前記ダムの下流に前記制御監視装置と第２のネットワークを介して通信可能に設けられ、前記制御監視装置から受信した前記音声データに基づく警報処理を実行する警報局と、
を備え、
前記遠隔制御局は、
音声を入力する音声入力部と、
前記音声入力部によって入力された音声に基づき、音声データを生成する入力制御部と、
入出力制御部から受け付けた前記音声データを音声出力部に出力する出力制御部と、
を備え、
前記制御監視装置は、
音声データと、前記音声データの送信先である前記警報局を示す情報とを対応付けて記憶する音声記憶部と、
前記遠隔制御局から前記第１のネットワークを介して受け付けた前記音声データを前記音声記憶部へ登録し、
前記遠隔制御局から取得した音声データに対応付けられている前記警報局を示す情報で特定される警報局に対して前記第２のネットワークを介した音声データの送信処理を実行する入出力制御部と、
を備える放流警報制御システム。
【請求項２】
前記制御監視装置の入出力制御部は、
前記遠隔制御局から録音された音声データの配信要求の指示を受け付けると、前記配信要求に基づいて前記音声記憶部から取得した音声データを、前記第１のネットワークを介して前記遠隔制御局に送信する、
請求項１に記載の放流警報制御システム。
【請求項３】
前記制御監視装置の入出力制御部は、複数の遠隔制御局から警報に関する指示情報を所定の時間内に受け付けた場合に、優先度の高い順番に前記指示情報を処理する、
請求項１に記載の放流警報制御システム。
【請求項４】
制御監視装置と、前記制御監視装置とは離れた場所に第１のネットワークを介して通信可能に設けられた遠隔制御局と、ダムの下流に第２のネットワークを介して通信可能に設けられた警報局とを備え、流域に対して、ダムからの放流を行う際に警報を行う放流警報制御システムの制御監視装置であって、
音声データと、前記音声データの送信先である前記警報局を示す情報とを対応付けて記憶する音声記憶部と、
音声を入力する音声入力部と前記音声入力部によって入力された音声に基づき音声データを生成する入力制御部とを備える遠隔制御局から前記第１のネットワークを介して音声データを受け付け、受け付けた前記音声データを前記音声記憶部へ登録し、
前記遠隔制御局から取得した音声データに対応付けられている前記警報局を示す情報で特定される警報局に対して前記第２のネットワークを介した音声データの送信処理を実行する入出力制御部と、
を備えた放流警報制御システムの制御監視装置。
【請求項５】
前記入出力制御部は、前記遠隔制御局から録音された音声データの配信要求の指示を受け付けると、前記配信要求に基づき、前記音声記憶部から取得した音声データを前記第１のネットワークを介して前記遠隔制御局に送信する、
請求項４に記載の放流警報制御システムの制御監視装置。
【請求項６】
前記入出力制御部は、複数の遠隔制御局から警報に関する指示情報を所定の時間内に受け付けた場合に、優先度の高い順番に前記指示情報を処理する、
請求項４に記載の放流警報制御システムの制御監視装置。
【発明の詳細な説明】
【技術分野】
【０００１】
本発明の実施形態は、放流警報制御システム及び制御監視装置に関する。
【背景技術】
【０００２】
河川法等の定めにより、ダムの放流による危害を防止するため、放流警報制御システムが構築されている。放流警報制御システムでは、放送用のメッセージを録音・モニタ（再生）したい場合、制御監視装置と音声発生装置と通話操作器が設置されている制御監視局（例えば、ダム管理所）を訪問し、録音・モニタ（再生）を行っていた。また、同じ河川を複数の事業者が管理していること、警報局は限定された周波数帯で通信がされていることから、警報局は複数の事業者間で共有されている。そのため、各事業者は、録音・モニタ（再生）の都度、制御監視局を訪問する必要があった。各事業者が、録音・モニタ（再生）の都度、制御監視局を訪問する場合、新しい放送用の音声ファイルへの更新が遅れてしまう可能性があった。
【先行技術文献】
【特許文献】
【０００３】
【特許文献１】特開２０１１−２８３６９号公報
【特許文献２】特開２００３−８５６８１号公報
【特許文献３】特開２００５−２１５８７３号公報
【非特許文献】
【０００４】
【非特許文献１】国土交通省“放流警報装置標準仕様書”、[online]、平成１３年１月６日、[平成２８年５月２５日検索]、インターネット<URL: http://www.mlit.go.jp/tec/it/denki/kikisiyou/kokudenntsushi27zantei.pdf>
【発明の概要】
【発明が解決しようとする課題】
【０００５】
本発明が解決しようとする課題は、音声ファイルの録音・モニタ（再生）をより速く実行することができる放流警報制御システム及び制御監視装置を提供することである。
【課題を解決するための手段】
【０００６】
実施形態の放流警報制御システムは、流域に対して、ダムからの放流を行う際に警報を行うシステムであって、制御監視装置と遠隔制御局と警報局とを持つ。制御監視装置は、前記ダムから放流を行う際に、放流警報を行うための音声データを管理する。遠隔制御局は、前記制御監視装置とは離れた場所に、前記制御監視装置と第１のネットワークを介して通信可能に設けられる。警報局は、前記ダムの下流に前記制御監視装置と第２のネットワークを介して通信可能に設けられ、前記制御監視装置から受信した前記音声データに基づく警報処理を実行する。前記遠隔制御局は、音声入力部と、入力制御部と、出力制御部とを持つ。音声入力部は、音声を入力する。入力制御部は、前記音声入力部によって入力された音声に基づき、音声データを生成する。出力制御部は、入出力制御部から受け付けた前記音声データを音声出力部に出力する。前記制御監視装置は、音声記憶部と、入出力制御部とを持つ。音声記憶部は、音声データと、前記音声データの送信先である前記警報局を示す情報とを対応付けて記憶する。入出力制御部は、前記遠隔制御局から前記第１のネットワークを介して受け付けた前記音声データを前記音声記憶部へ登録し、前記遠隔制御局から取得した音声データに対応付けられている前記警報局を示す情報で特定される警報局に対して前記第２のネットワークを介した音声データの送信処理を実行する。
【図面の簡単な説明】
【０００７】
【図１】放流警報制御システム１のシステム構成を表す図。
【図２】制御監視装置１００及び警報局３００ａ〜ｆの機能構成を表す概略ブロック図。
【図３】音声テーブル１０９の具体例を示す図。
【図４】操作端末２００の機能構成を表す概略ブロック図。
【図５】放流警報制御システム１による警報処理の流れを示すシーケンス図。
【図６】操作端末２００及び制御監視装置１００間の音声モニタ（再生）機能処理の流れを示すフローチャート。
【図７】操作端末２００及び制御監視装置１００間の音声録音機能処理の流れを示すフローチャート。
【図８】操作端末２００及び制御監視装置１００間の音声ファイルダウンロード処理及び音声ファイル配信処理の流れを示すフローチャート。
【図９】操作端末２００による制御監視装置１００に対する音声ファイルアップロード処理の流れを示すフローチャート。
【発明を実施するための形態】
【０００８】
以下、実施形態の放流警報制御システム及び制御監視装置を、図面を参照して説明する。河川には、洪水防止や発電用、農業／工業用水利用等の目的で、上流部にダムが設けられていることが多い。ダムはその時の水位と利水目的に応じて、放流量を調整している。ダムが大量に放流を行う場合は、下流に対して危害が及ばないようにするため、放流警報制御システムが設置されている。
【０００９】
図１は、放流警報制御システム１のシステム構成を表すシステム構成図である。放流警報制御システム１は、通常ダムの制御所に設けられる。放流警報制御システム１は、放流警報制御システム全体の制御を行う制御監視局と、必要に応じて設けられた遠隔制御局と、河川の流域に設けられた複数の警報局３００ａ〜Ｎとを備える。
【００１０】
制御監視局には、制御監視装置１００、無線通信装置１１０、１つ以上の操作端末２００が設けられている。また、制御監視局の操作端末２００は、放流警報要求の操作がされると、無線通信装置１１０に対して警報制御信号を送信する。無線通信装置１１０は、無線信号により各警報局３００ａ〜Ｎに対して警報制御信号を送信する。次に、各警報局３００ａ〜Ｎによって警報処理が実行される。また、制御監視局の他に複数の遠隔制御局が設けられている。例えば、遠隔制御局は、ネットワーク４００を介して互いに通信可能に接続される。ネットワーク４００は、例えば、インターネットで構成されてもよい。ネットワーク４００は、例えば、デジタル多重無線装置等の専用通信網等で構成されてもよい。
【００１１】
図２は、制御監視装置１００及び警報局３００ａ〜ｆの機能構成を表す概略ブロック図である。制御監視装置１００は、メインフレームやワークステーションやパーソナルコンピュータ等の情報処理装置を用いて構成される。制御監視装置１００は、バスで接続されたＣＰＵ（Central Processing Unit）やメモリや補助記憶装置などを備える。制御監視装置１００は、制御監視プログラムを実行することによって、通信部１０１、入出力制御部１０２、音声記憶部１０３、音声再生機能部１０４、分岐入出力部１０５、回線切替部１０６、音声出力部１０７及び映像出力部１０８を備える装置である。なお、制御監視装置１００の各機能の全て又は一部は、ＡＳＩＣ（Application Specific Integrated Circuit）やＰＬＤ（Programmable Logic Device）やＦＰＧＡ（Field Programmable Gate  Array）等のハードウェアを用いて実現されてもよい。制御監視プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置（例えばＳＳＤ：Solid State Drive）等の可搬媒体、コンピュータシステムに内蔵されるハードディスクや半導体記憶装置等の記憶装置である。制御監視装置１００は、複数台の情報処理装置を用いて構成されてもよい。制御監視プログラムはクラウドや仮想マシンで実行されてもよい。
【００１２】
通信部１０１は、ネットワークインタフェースである。通信部１０１はネットワーク４００を介して操作端末２００と通信する。
【００１３】
入出力制御部１０２は、音声記憶部１０３が登録している音声レコードから音声ファイル及び送信先となる警報局３００ａ〜Ｎを取得し、音声ファイル及び警報制御信号の送信処理を実行する。警報制御信号とは、具体的には、警報処理を実行するために必要な情報（例えば、警報処理を実行する警報局３００ａ〜Ｎ及び点灯する回転灯等）である。入出力制御部１０２は、警報局３００ａ〜Ｎから警報処理状況及び警報処理結果を受信し、音声出力部１０７及び映像出力部１０８へ出力する。入出力制御部１０２は、操作端末２００にネットワーク４００を介して音声ファイルを送信する。
【００１４】
音声記憶部１０３は、磁気ハードディスク装置や半導体記憶装置等の記憶装置を用いて構成される。音声記憶部１０３は、音声テーブル１０９を記憶する。音声テーブル１０９は音声レコードを有する。音声レコードは、音声ファイル毎に、警報処理に用いる情報を有する。
【００１５】
図３は、音声テーブル１０９の具体例を示す図である。音声レコードは、音声ファイル、操作端末、警報局、優先度、最終更新日の各値を有する。音声ファイルは、警報局３００ａ〜Ｎに送信する音声データである。操作端末は、音声レコードにアクセスできる操作端末２００を指定している。警報局は、警報処理を実行する警報局３００ａ〜Ｎを示す。優先度は、操作端末２００から複数の警報要求を受信した場合、他の警報要求よりも優先的に警報処理を行うべきか判断するための情報である。最終更新日は、音声レコードが最後に更新された日時である。
【００１６】
図３に示される例では、音声テーブル１０９の最上段のレコードは、音声データの値が“放流警報”、操作端末の値が“操作端末Ａ”警報局の値が“３００ａ〜ｆ”、優先度の値が“中”、最終更新日の値が“２０１６年５月２４日”である。したがって、この音声レコードは、操作端末Ａによって選択される。この音声レコードが選択されると、警報局３００ａ〜ｆは、“放流警報”の警報処理を実行する。なお、前記音声レコードは、優先度が“中”であるため、より優先度の高い警報要求と衝突した場合、前記警報処理は実行されない。なお、衝突とは、所定の時間内に複数の警報要求を受信することを意味する。所定の時間とは、警報要求を処理するために要する時間などに基づいて予め設定される値である。なお、前記警報処理は、優先度の高い順番に実行されてもよい。なお、図３に示される音声テーブル１０９は一具体例に過ぎない。そのため、図３とは異なる態様で音声テーブル１０９が構成されてもよい。例えば、音声テーブル１０９は、“作成日”や“最終更新者”を有していてもよい。
【００１７】
図２に戻って、制御監視装置１００の説明を続ける。音声再生機能部１０４は、音声レコードが登録している音声ファイルの通知を受けると、前記音声ファイルからアナログ音声信号の生成処理を実行する。音声再生機能部１０４は、例えば、Ｄ／Ａコンバータ等で実行されてもよい。
【００１８】
分岐入出力部１０５は、警報制御信号を回線切替部１０６へ通知する。分岐入出力部１０５は、入出力制御部１０２が指定した警報局３００ａ〜Ｎに対して、無線通信装置１１０を介して送信する警報局と有線を介して送信する警報局とに分割して回線切替部１０６へ通知する。分岐入出力部１０５は、アナログ音声信号を回線切替部１０６へ通知する。
【００１９】
回線切替部１０６は、アナログ音声信号及び警報制御信号を、無線通信装置１１０を介して警報局３００ａ〜Ｎへ、無線通信装置１１０を介して送信する。また、回線切替部１０６は、アナログ音声信号及び警報制御信号を、無線通信装置１１０を介さない警報局３００ａ〜Ｎへ、有線を介して送信する。
【００２０】
音声出力部１０７は、スピーカー、イヤホン、ヘッドフォン等の音声出力装置を用いて構成される。音声出力部１０７は、音声出力装置を制御監視装置１００に接続するためのインタフェースであってもよい。この場合、音声出力部１０７は、音声データから音声信号を生成し、自身に接続されている音声出力装置に音声信号を出力する。
【００２１】
映像出力部１０８は、ＣＲＴ（Cathode Ray Tube）ディスプレイ、液晶ディスプレイ、有機ＥＬ（Electro Luminescence）ディスプレイ等の映像出力装置である。映像出力部１０８は、出力装置を制御監視装置１００に接続するためのインタフェースであってもよい。この場合、映像出力部１０８は、映像データから映像信号を生成し自身に接続されている映像出力装置に映像信号を出力する。
【００２２】
無線通信装置１１０は、空間を介して、警報局３００ａ〜Ｎにアナログ音声信号及び警報制御信号を送信する。無線通信装置１１０は、警報局３００ａ〜Ｎが送信した警報処理状況及び警報処理結果を受信する。
【００２３】
図４は、操作端末２００の機能構成を表す概略ブロック図である。操作端末２００は、タブレットコンピュータ、パーソナルコンピュータ、メインフレームやワークステーション及びスマートフォン等の情報処理装置を用いて構成される。操作端末２００は、バスで接続されたＣＰＵやメモリや補助記憶装置などを備える。操作端末２００は、以下に示す機能を備えることが可能な装置であればどのような装置もなり得る。操作端末２００は、警報制御プログラムを実行することによって、通信部２０１、通信制御部２０２、音声ファイル記憶部２０３、入力制御部２０４、操作部２０５、音声入力部２０６、出力制御部２０７、音声出力部２０８及び映像出力部２０９を備える装置として機能する。なお、操作端末２００の各機能の全て又は一部は、ＡＳＩＣやＰＬＤやＦＰＧＡ等のハードウェアを用いて実現されてもよい。警報制御プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置等の可搬媒体、コンピュータシステムに内蔵されるハードディスクや半導体記憶装置等の記憶装置である。警報制御プログラムは、電気通信回線を介して送信されてもよい。警報制御プログラムはクラウドや仮想マシンで実行されてもよい。
【００２４】
通信部２０１は、ネットワークインタフェースである。通信部２０１はネットワーク４００を介して制御監視装置１００と通信する。
【００２５】
通信制御部２０２は、入力制御部２０４から通知を受けた音声ファイルを音声ファイル記憶部２０３へ登録する。通信制御部２０２は、音声ファイル記憶部２０３から音声ファイルを取得し、制御監視装置１００へ送信する。通信制御部２０２は、警報局３００ａ〜Ｎの警報処理状況及び警報処理結果を受信し、音声出力部２０８及び映像出力部２０９へ通知する。
【００２６】
音声ファイル記憶部２０３は、磁気ハードディスク装置や半導体記憶装置等の記憶装置を用いて構成される。音声ファイル記憶部２０３は、音声ファイルを登録する。
【００２７】
入力制御部２０４は、操作部２０５から入力されたデータを通信部２０１を介して制御監視装置１００へ送信する。入力制御部２０４は、音声入力部２０６から入力された音声データから音声ファイルを生成し、通信制御部２０２を介して、音声ファイル記憶部２０３へ登録する。
【００２８】
操作部２０５は、タッチパネル、ボタン、スイッチ及びキーボード等の操作装置を用いて構成される。操作部２０５は、操作装置を操作端末２００に接続するためのインタフェースであってもよい。この場合、操作部２０５は、操作装置において入力された入力信号から入力データ（例えば、制御監視装置１００に対する指示を示す指示情報）を生成し、操作端末２００に入力する。
【００２９】
音声入力部２０６は、マイク等の音声入力装置を用いて構成される。音声入力部２０６は、音声入力部２０６は、音声入力装置を操作端末２００に接続するためのインタフェースであってもよい。この場合、音声入力部２０６は、音声入力装置において入力された音声信号から音声データを生成し操作端末２００に入力する。
【００３０】
出力制御部２０７は、操作端末２００が受信した警報局３００ａ〜Ｎの警報処理状況及び警報処理結果のうち、音声データを音声出力部２０８へ通知する。出力制御部２０７は、操作端末２００が受信した警報局３００ａ〜Ｎの警報処理状況及び警報処理結果のうち、映像データを映像出力部２０９へ通知する。
【００３１】
音声出力部２０８は、スピーカー、イヤホン、ヘッドフォン等の音声出力装置を用いて構成される。音声出力部２０８は、音声出力装置を操作端末２００に接続するためのインタフェースであってもよい。この場合、音声出力部２０８は、音声データから音声信号を生成し、自身に接続されている音声出力装置に音声信号を出力する。
【００３２】
映像出力部２０９は、映像出力部２０９は、ＣＲＴディスプレイ、液晶ディスプレイ、有機ＥＬディスプレイ等の映像出力装置である。映像出力部２０９は、映像出力装置を操作端末２００に接続するためのインタフェースであってもよい。この場合、映像出力部２０９は、映像データから映像信号を生成し、自身に接続されている映像出力装置に映像信号を出力する。
【００３３】
警報局３００ａ〜Ｎは、サイレン、回転灯、表示板及びスピーカーを備え、サイレンから警報サイレンを吹鳴させたり、回転灯を点灯させたり、表示板に警報情報を表示させたり、スピーカーで警報放送を放送させたりすることができる。警報局３００ａ〜Ｎは、受信したアナログ音声信号及び警報制御信号に基づいて、警報放送や警報サイレン等を出力する。警報局３００ａ〜Ｎは、警報装置３０１及び音声出力部３０２を備える装置として機能する。
【００３４】
警報装置３０１は、制御監視装置１００から受信したアナログ音声信号及び警報制御信号を音声出力部３０２へ通知する。警報装置３０１は、音声出力部３０２の警報処理状況及び警報処理結果を、制御監視装置１００へ送信する。
【００３５】
音声出力部３０２は、音声出力部３０２は、サイレン、回転灯、表示板及びスピーカーなどの装置から構成される。音声出力部３０２は、アナログ音声信号及び警報制御信号に基づいて、警報放送や警報サイレン等を出力する。
【００３６】
次に、本実施形態の放流警報制御システム１の動作について説明する。図５は、放流警報制御システム１による警報処理の流れを示すシーケンス図である。まず、通信制御部２０２は、警報要求を通信部２０１を介して制御監視装置１００へ送信する（ステップＳ１０１）。
【００３７】
入出力制御部１０２は、警報要求を受信すると音声記憶部１０３から音声レコードを特定する。入出力制御部１０２は、音声レコードに登録されている音声ファイルを音声再生機能部１０４へ通知する。なお、入出力制御部１０２は、複数の警報要求を受信した場合、音声レコードに登録されている優先度の値が所定の条件を満たした場合（例えば、選択されている音声レコードの中で、優先度の値が最も大きい）、次のステップを実行する。所定の条件を見たしていない場合（例えば、選択されている音声レコードの中で、優先度の値が最も小さい）、入出力制御部１０２は、警報要求処理を実行しない。なお、入出力制御部１０２は、所定の条件を満たすまで、処理を中止してもよい（ステップＳ１０２）。音声再生機能部１０４は、音声ファイルを受けとると、アナログ音声信号の生成処理を実行する。音声再生機能部１０４は、生成したアナログ音声信号を分岐入出力部１０５へ通知する（ステップＳ１０３）。分岐入出力部１０５は、警報制御信号の通知を受けると、入出力制御部１０２によって指定されている警報局３００ａ〜Ｎを、無線通信装置１１０を介して送信する警報局と有線を介して送信する警報局とに分割して回線切替部１０６へ通知する。分岐入出力部１０５は、アナログ音声信号を回線切替部１０６へ通知する（ステップＳ１０４）。回線切替部１０６は、アナログ音声信号及び警報制御信号を無線通信装置１１０へ通知する。回線切替部１０６は、有線を介して送信する警報局３００ａ〜Ｎに対して、アナログ音声信号及び警報制御信号を送信する（ステップＳ１０５）。
【００３８】
無線通信装置１１０は、無線通信装置１１０を介して送信する警報局３００ａ〜Ｎに対してアナログ音声信号及び警報制御信号を送信する（ステップＳ１０６）。
【００３９】
警報局３００ａ〜Ｎは、受信したアナログ音声信号及び警報制御信号に基づいて、警報処理を実行する。具体的には、警報装置３０１は、アナログ音声信号及び警報制御信号を音声出力部３０２へ通知する。音声出力部３０２は警報制御信号に基づいて、スピーカーでアナログ音声信号を放送し、警報サイレン等を出力する（ステップＳ１０７）。無線通信装置１１０を介して警報制御信号を受信した警報局３００ａ〜Ｎの警報装置３０１は、警報処理状況及び警報処理結果を制御監視装置１００へ無線通信装置１１０を介して送信する。有線を介して警報制御信号を受信した警報局３００ａ〜Ｎの警報装置３０１は、警報処理状況及び警報処理結果を有線を介して制御監視装置１００へ送信する（ステップＳ１０８）。無線通信装置１１０は、警報処理状況及び警報処理結果を制御監視装置１００へ送信する（ステップＳ１０９）。入出力制御部１０２は警報処理状況及び警報結果を音声出力部１０７へ通知する。入出力制御部１０２は警報処理状況及び警報処理結果を操作端末２００へ送信する（ステップＳ１１０）。入出力制御部１０２は、警報処理状況及び警報処理結果を音声出力部１０７及び映像出力部１０８に出力させる。出力制御部２０７は、警報処理状況及び警報処理結果を音声出力部２０８及び映像出力部２０９に出力させる（ステップＳ１１１）。
【００４０】
図６は、操作端末２００及び制御監視装置１００間の音声モニタ（再生）機能処理の流れを示すフローチャートである。まず、操作端末２００及び制御監視装置１００を立ち上げる（ステップＳ２０１）。次に、操作端末２００は音声ファイルダウンロード処理を実行する（ステップＳ２０２）。制御監視装置１００は音声ファイル配信処理を実行する（ステップＳ２０３）。操作端末２００及び制御監視装置１００は、運用状態に遷移し、入力待機状態となる（ステップＳ２０４）。
【００４１】
操作部２０５の入力データに基づいて、入力制御部２０４は、音声モニタ画面表示指示を出力制御部２０７へ通知する。出力制御部２０７は、映像出力部２０９へ、音声モニタ画面を表示させる（ステップＳ２０５）。操作端末２００は音声ファイルダウンロード処理を実行する（ステップＳ２０６）。制御監視装置１００は音声ファイル配信処理を実行する（ステップＳ２０７）。出力制御部２０７は、取得した音声ファイルを映像出力部２０９へ表示させる。操作部２０５からの入力データに基づいて、入力制御部２０４は、音声ファイル記憶部２０３から音声ファイルを選択する（ステップＳ２０８）。出力制御部２０７は、選択された音声ファイルを、音声出力部２０８に出力させる（ステップＳ２０９）。出力制御部２０７は、音声ファイルの出力が終了すると、映像出力部２０９の出力を終了させ、音声モニタ画面を終了する（ステップＳ２１０）。
【００４２】
図７は、操作端末２００及び制御監視装置１００間の音声録音機能処理の流れを示すフローチャートである。まず、操作端末２００及び制御監視装置１００を立ち上げる（ステップＳ３０１）。次に、操作端末２００は音声ファイルダウンロード処理を実行する（ステップＳ３０２）。制御監視装置１００は音声ファイル配信処理を実行する（ステップＳ３０３）。操作端末２００及び制御監視装置１００は、運用状態に遷移し、入力待機状態となる（ステップＳ３０４）。
【００４３】
操作部２０５の入力データに基づいて、入力制御部２０４は、音声録音画面表示指示を出力制御部２０７へ通知する。出力制御部２０７は、映像出力部２０９へ、音声録音画面を表示させる（ステップＳ３０５）。操作端末２００は音声ファイルダウンロード処理を実行する（ステップＳ３０６）。制御監視装置１００は音声ファイル配信処理を実行する（ステップＳ３０７）。出力制御部２０７は、録音できる音声パターンを映像出力部２０９へ表示させる。音声パターンとは、放流警報、増水警報、訓練警報等の警報放送時に放送する音声ファイルの種類である。録音される音声パターンは、操作部２０５からの入力データに基づいて選択される（ステップＳ３０８）。音声パターンが選択されると、入力制御部２０４は、音声入力部２０６が取得した音声信号から音声ファイルを生成し、通信制御部２０２へ通知する（ステップＳ３０９）。通信制御部２０２は、音声ファイルを音声ファイル記憶部２０３へ登録する（ステップＳ３１０）。
通信制御部２０２は、生成した音声ファイルを制御監視装置１００へアップロード処理を実行する（ステップＳ３１１）。制御監視装置１００は、音声ファイル登録処理を実行する（ステップＳ３１２）。出力制御部２０７は、音声ファイルの録音が終了すると、映像出力部２０９の出力を終了させ、音声録音画面を終了する（ステップＳ３１３）。
【００４４】
図８は、操作端末２００及び制御監視装置１００間の音声ファイルダウンロード処理及び音声ファイル配信処理の流れを示すフローチャートである。音声ファイルダウンロード処理が実行されると、まず、通信制御部２０２は、音声記憶部１０３と音声ファイル記憶部２０３とが記憶している音声ファイルの属性を取得する。音声ファイルの属性とは、具体的には、タイムスタンプ（例えば、最終更新日）や署名者等の音声ファイルの鮮度を示す情報である（ステップＳ４０１）。通信制御部２０２は、音声記憶部１０３と音声ファイル記憶部２０３とが記憶している音声ファイルの属性が同じか否か（例えば、一致している）判定する（ステップＳ４０２）。同じである場合（ステップＳ４０２−ＹＥＳ）、音声ファイルダウンロード処理は終了する（ステップＳ４１４）。同じではない場合（ステップＳ４０２−ＮＯ）、通信制御部２０２は、制御監視装置１００に対して、音声ファイルの配信要求を送信する（ステップＳ４０３）。
【００４５】
入出力制御部１０２は、操作端末２００による音声ファイルの配信要求を受信すると、音声ファイル配信処理を実行する（ステップＳ４０４）。まず、入出力制御部１０２は、音声記憶部１０３に登録されている音声ファイルが使用中であるか否か判定する（ステップＳ４０５）。使用中である場合（ステップＳ４０５−ＹＥＳ）、所定時間経過後、再び、音声記憶部１０３に登録されている音声ファイルが使用中であるか否か判定する。使用中でない場合（ステップＳ４０５−ＮＯ）、入出力制御部１０２は、音声記憶部１０３に対して、音声ファイルの再生、録音及び音声発生制御を禁止とする（ステップＳ４０６）。入出力制御部１０２は、操作端末２００へ音声ファイルの配信許可を送信する（ステップＳ４０７）。入出力制御部１０２は、操作端末２００へ音声ファイルを送信する（ステップＳ４０８）。通信制御部２０２は、制御監視装置１００から音声ファイルの配信許可を受信する（ステップＳ４０９）。通信制御部２０２は、制御監視装置１００から音声ファイルを受信する（ステップＳ４１０）。通信制御部２０２は、受信した音声ファイルを音声ファイル記憶部２０３へ登録処理を実行する（ステップＳ４１１）。入出力制御部１０２は、音声ファイルの送信が終了すると、音声ファイル再生、録音及び音声発生制御禁止を解除する（ステップＳ４１２）。入出力制御部１０２は、音声ファイルの配信処理を終了する（ステップＳ４１３）。通信制御部２０２は、音声ファイルダウンロード処理を終了する（ステップＳ４１４）。
【００４６】
図９は、操作端末２００による制御監視装置１００に対する音声ファイルアップロード処理の流れを示すフローチャートである。まず、音声ファイルアップロード処理が実行されると、まず、通信制御部２０２は、制御監視装置１００へ、アップロード要求を送信する（ステップＳ５０１）。
【００４７】
入出力制御部１０２は、操作端末２００による音声ファイルのアップロード要求を受信すると、音声ファイル更新処理を実行する（ステップＳ５０２）。まず、入出力制御部１０２は、音声記憶部１０３に登録されている音声ファイルが使用中であるか否か判定する（ステップＳ５０３）。使用中である場合（ステップＳ５０３−ＹＥＳ）、所定時間経過後、再び、音声記憶部１０３に登録されている音声ファイルが使用中であるか否か判定する。使用中でない場合（ステップＳ５０３−ＮＯ）、入出力制御部１０２は、音声記憶部１０３に対して、音声ファイルの再生、録音及び音声発生制御を禁止とする（ステップＳ５０４）。入出力制御部１０２は、操作端末２００に音声ファイルのアップロード許可を送信する（ステップＳ５０５）。通信制御部２０２は、制御監視装置１００から音声ファイルのアップロード許可を受信する（ステップＳ５０６）。通信制御部２０２は、制御監視装置１００へ音声ファイルを送信する（ステップＳ５０７）。入出力制御部１０２は、受信した音声ファイルを音声記憶部１０３の音声レコードに登録する（ステップＳ５０８）。入出力制御部１０２は、音声ファイルの送信が終了すると、音声ファイル再生、録音及び音声発生制御禁止を解除する（ステップＳ５０９）。入出力制御部１０２は、音声ファイルの更新処理を終了する（ステップＳ５１０）。通信制御部２０２は、音声ファイルのアップロード処理を終了する（ステップＳ５１１）。
【００４８】
このように構成された放流警報制御システム１では、操作端末２００がネットワーク４００を介して音声ファイルを録音・モニタ（再生）することができる。そのため、各事業者が、音声ファイルの録音・モニタ（再生）する都度、制御監視局を訪問する必要がなくなり、より早く、放送用音声ファイルを更新することができるようになる。
【００４９】
（変形例）
制御監視装置１００は、ネットワーク４００を介して接続可能な場所であれば、どのような場所（例えば、データセンター）に設置してもよい。このように構成することで、制御監視装置１００を天災等から防護することができる。
【００５０】
以上説明した少なくともひとつの実施形態によれば、制御監視装置がネットワークを介して音声ファイルを録音・モニタ（再生）する機能を持つことにより、遠隔地にある操作端末から音声ファイルの録音・モニタ（再生）をすることができる。
【００５１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１…放流警報制御システム，１０１…通信部，１０２…入出力制御部，１０３…音声記憶部，１０４…音声再生機能部，１０５…分岐入出力部，１０６…回線切替部，１０７…音声出力部，１０８…映像出力部，１０９…音声テーブル，１１０…無線通信装置，２００…操作端末，２０１…通信部，２０２…通信制御部，２０３…音声ファイル記憶部，２０４…入力制御部，２０５…操作部，２０６…音声入力部，２０７…出力制御部，２０８…音声出力部，２０９…映像出力部，３００ａ…警報局ａ，３００ｂ…警報局ｂ，３００ｃ…警報局ｃ，３００ｄ…警報局ｄ，３００ｅ…警報局ｅ，３００ｆ…警報局ｆ，３０１…警報装置，３０２…音声出力部，４００…ネットワーク
【図１】
0006721426.tif 000002
【図２】
0006721426.tif 000003
【図３】
0006721426.tif 000004
【図４】
0006721426.tif 000005
【図５】
0006721426.tif 000006
【図６】
0006721426.tif 000007
【図７】
0006721426.tif 000008
【図８】
0006721426.tif 000009
【図９】
0006721426.tif 000010